(57)【要約】【課題】  手首の動き範囲拡大と手首の強化を行なうことでバッティングの飛距離アップやピッチングのスピードアップ等が期待できる。又、反対側からの使用も出来多くのスポーツ競技の手首の動きに合ったトレーニングが出来る。【解決手段】正逆回転運動をサポートする軸受（１１，１１）とその軸受（１１，１１）を取付ける取付座（２）を備え、正逆回転運動をする回転軸（４）、及びその回転軸（４）の両端に固着したグリップ（５，５）と、正逆回転運動時の回転力の負荷調整を行なうスプリング（１２）を取付けた以上の部品から主に構成される。【選択図】      図８
2005305080.tif 000002
【特許請求の範囲】
【請求項１】
正逆回転運動をサポートする軸受（１１，１１）を取付けるための取付座（２）と、その正逆回転運動をサポートする軸受（１１，１１）と、正逆回転運動をする回転軸（４）及びその正逆回転運動をする回転軸（４）に固着したグリップ（５，１８）と、回転力の負荷調整を行なう張力体（１２，１７）を少なくとも装備したことを特徴とする手首トレーニング器。
【請求項２】
回転力の負荷調整を行なう張力体（１２，１７）は伸縮自在に調整が出来る様にガイド棒（１３）とハンドル（１４）等が取付けられる請求項１記載の手首トレーニング器。
【請求項３】
グリップ（５，１８）が種々形状の物に変えることが出来る請求項１記載の手首トレーニング器。
【発明の詳細な説明】
【発明の詳細な説明】
【技術分野】
【０００１】  本発明は、野球等のバッティング及びピッチングが上達するための練習器に関する。
【背景技術】
【０００２】  従来の練習方法としては、バット振りや写動ピッチング等の動作を行なって、一連の動きの中に手首を強くさせる事がもりこまれる方法。
【発明が解決しようとする課題】
【０００３】  従来の手首を強くする練習方法のバット振りや写動ピッチングにおいては、一連の動きのある一部分、一動作であり、手首を強くする効果があまり得られなかった。
【０００４】  又、バッティングやピッチングに関する手首の動きはＹ軸方向の動きが大きく、有効な効果が得られるトレーニングや練習方法が望まれていた。ここでＹ軸方向の動きとは、整列時に前に習いを行なった手の平の向き、すなはち左右の手の平の向きが向かい合った状態で、垂直方向の軸をＹ軸とする。
【０００５】  この発明は、上記のような課題に鑑み、その課題を解決すべく創案されたものであって、その目的とするところは、手首の動きの範囲拡大と手首の強化を行なうことで、バッティングの飛距離アップやピッチングのスピードアップ等が期待できる。又、両方向からの使用も出来、多くのスポーツ競技の手首の動きに合ったトレーニングが出来る器具を提供することにある。
【課題を解決するための手段】
【０００６】以上の目的を達成するためにこの発明は、正逆回転運動をサポートする軸受（１１，１１）を取付けるための取付座（２）と、その正逆回転運動をサポートする軸受（１１，１１）と、正逆回転運動をする回転軸（４）及びその正逆回転運動をする軸に固着したグリップ（５，１８）と回転力の負荷調整を行なう張力体（１２，１７）を少なくとも装備した手段によるものである。
【０００７】ここで好ましい態様として、回転力の負荷調整を行なう張力体（１２，１７）は伸縮自在に調整が出来る様にガイド棒（１３）とハンドル（１４）等が取付けられた手段によるものである。
【０００８】  スポーツ競技の種目によりグリップ（５，１８）が種々の形状の物に取り替える事が出来るのがよい。
【発明を実施するための最良の形態】
【０００９】    以下、図面に記載の発明の実施の形態に基づいて、この発明をより具体的に説明する。
ここで、図１はグリップ（５）が棒の時の手首トレーニング器の正面図、図２はグリップ（５）が棒の時の手首トレーニング器の平面図、図３はグリップ（５）が棒で張力体（１２）がスプリングを使用した時の手首トレーニング器の断面図、図４はグリップ（５）が棒の時の正逆回転運動部分の拡大断面図、図５は張力体（１２）がスプリングを使用した時のガイド棒部分の拡大断面図、図６はグリップ（５）が棒で張力体（１７）がゴムを使用した時の手首トレーニング器の断面図、図７はグリップ（１８）が球体の時の正逆回転運動部分の拡大断面図、図８は使用時の一例を示した側面図である。【００１０】  この発明の手首トレーニング器は、正逆回転運動部分と、回転力の負荷調整を行なう部分、及び、それを支えるフレームの部分から成り、正逆回転運動部分は、正逆回転運動をサポートする軸受（１１，１１）とその軸受（１１，１１）を取付ける取付座（２）、正逆回転運動をする回転軸（４）、その回転軸（４）の両端に固着して取付けたグリップ（５，５）（１８，１８）から成る。次に回転力の負荷調整を行なう部分は、回転軸（４）の中央に取付けたスプロケット（３）とそのスプロケット（３）の回転により張力体（１２，１７）を引っ張るチェーン（１０）、及び始動の負荷調整を行なうガイド棒（１３）とハンドル（１４）、そのガイド棒（１３）をガイドするガイドカン（１５）から成る。正逆回転運動部分と回転力の負荷調整を行なう部分を支える台座であり手首トレーニング器のフレームの部分をなすスタンド（１）を組付けた以上のものによって主に構成される手首トレーニング器について説明する。【００１１】  正逆回転運動部分から説明する。
図４における正逆回転運動部分の回転軸（４）は中央付近にスプロケット（３）と一体となって回転するように平行キー（９）が取付けられる溝加工が施され、その回転軸（４）の両端はグリップ（５，５）に差し込まれ、そのグリップ（５，５）と回転軸（４）をボルトで固定するための穴加工が長円柱の丸軸の両端に同一方向から平行に加工されている。又、その正逆回転運動をサポートする軸受（１１，１１）は心高ピロー形ユニットを使用し、取付座の両側に離間して取付けられ、回転軸（４）の回転運動がスムーズに行なわれるように取付けられている。軸受（１１，１１）の心高ピロー形ユニットは取付け面から軸受中心が高く設計されたベアリング使用の軸受のことである。スプロケット（３）は外周を山谷が交互に加工された円盤状のプレート部分が円柱のボスの片側部分で一体になり、その中心に回転軸（４）が差し込まれる穴加工が施されている。又その回転軸（４）と一体となって回転するように平行キー（９）を取付ける溝加工が施されている。回転軸（４）の中央にスプロケット（３）の外周を山谷が交互に加工された円盤状のプレート中央が位置するように取付けられている。次に回転運動を引張り運動に変えて伝達を行なうチェーン（１０）は、一般に自転車のチェーンと同様にスプロケットの山に引っ掛けられて伝達を行なうもので、チェーン（１０）の片端はスプロケット（３）に穴加工を施して根止めを行なうことでスプロケット（３）が回転するとチェーン（１０）も同時に巻き付いたり巻き戻されたりするようになっている。チェーン（１０）の他端はスプリング（１２）が引っ掛けられている。【００１２】  グリップ（５，５）について説明する。
この発明の実施の形態の場合グリップ（５，５）は円柱形状に加工され中央より少しずれた位置に回転軸（４）が差し込まれる穴加工が施され又、その回転軸（４）から抜けないようにセットビスを取付ける穴加工も施された丸軸からなる。その左右のグリップ（５，５）の取付角度は同一向きになる様に取付けられている。【００１３】  スプロケット（３）の回転をある一定の位置より回転しないように取付けた部品、ストッパー（７）とブラケット（６）について説明する。
ストッパー（７）は円柱の形で中央にボルトが締付けられる穴加工が施され、スプロケット（３）の外周を山谷が交互に加工された円盤状のプレート部分に取付けられている。ブラケット（６）はＬ形に加工され２本のボルトにより取付座（２）の中央付近に取付けられている。そのストッパー（７）とブラケット（６）の働きは、グリップ（５，５）を回転させると回転軸（４）と一体にスプロケット（３）も回転し、そのスプロケット（３）に取付けたストッパー（７）も回転軸（４）を中心に動き、取付座（２）に取付けられたブラケット（６）と当たる位置まで回転し、それ以上は回転しないように取付けられている。【００１４】  図３における張力体（１２）のスプリングによる回転力の負荷調整を行なう調整部分について説明する。
張力体（１２）はらせん状に巻いたコイルの両側にフック式の引っかけを備えた引張コイルばねを使用し鋼線を加工して作られ、引張る事で元の形状にもどろうとする力を利用したものである。張力体（１２）の両フックの片端はチェーン（１０）に引っ掛けられ、他端はガイド棒（１３）を引っ張っている。ガイド棒（１３）は丸鋼を加工した部品からなり長さの半分の下側には外周にネジ加工が施されている。上端とネジ加工がされていない他部分の丸形には片側より一面の面取りを行なっている。ガイド棒（１３）の上端には丸鋼の中心が残るように両側より面取りを行ないその面取りを行なった部分は張力体（１２）に引っ掛けられるきり穴が施されている。ガイド棒（１３）は回転力の負荷調整時、ハンドル（１４）を回すことでガイド棒（１３）は回転しないようにしなければならないので、廻り止めネジ（１６）を備える。廻り止めネジ（１６）は先端がフラットな形状に加工され、ガイド棒（１３）の一面の面取りを行なった面にタッチすることでガイド棒（１３）の回転を防いでいる。【００１５】  張力体（１２）による回転力の負荷調整を行なうハンドル（１４）について説明する。ハンドル（１４）の握り部分は円形の丸鋼よりなり中心部は垂直に固設された円柱のボスからなる。その円柱のボス中心部にはガイド棒（１３）がネジ込まれる様にタップ穴加工が施されている。【００１６】  回転力の負荷調整を行ない、その負荷を一定値に固定するノブ（８）は頭部が円形になっていて円形の頭部の中心から軸が垂直に固設されていて、軸の外周にはネジ加工がされているノブ（８）を使用している。【００１７】  ガイド棒（１３）をサポートするガイドカン（１５）は四角柱鋼で中央部にガイド棒（１３）が容易に入る様に穴加工が施されている。その四角柱鋼の上端付近の対称面、２面にタップ穴加工がされている。１ヶ所はノブ（８）がネジ込まれる面と廻り止めネジ（１６）がネジ込まれる面がある。ガイドカン（１５）はスタンド（１）に取付けられるもので四角柱鋼のタップ加工された他の両側面の上側付近に長方形のプレートを溶接により固着して構成されている。その長方形のプレートにはスタンド（１）とボルト，ナットにより締付けを行なえるように両サイドに貫通されるきり穴が三角形の形に３ヶ所施されている。【００１８】  図１、２においてスタンド（１）のスタンドａ（１ａ）スタンドｂ（１ｂ）スタンドｃ（１ｃ）スタンドｄ（１ｄ）から構成され、フレームと台座となる部分に分けて説明する。スタンドａ（１ａ）は中空の角形パイプを使用し、上側先端一辺には正面から見て長方形のプレートが溶接により一体的に固設されている。この長方形のプレートには、取付座（２）がボルト，ナットにより締付けて固定するためのきり穴が長方形の角４ヶ所に施されている。下側にはガイドカン（１５）がボルト，ナットにより締付けて固定するように中空の角形パイプの両サイドに貫通するきり穴が三角形の角３ヶ所に施されている。スタンドｂ（１ｂ）はスタンドａ（１ａ）を両側よりサポートする部分であり中空の角形パイプからなり上側先端は傾斜４５°にて切断されていてスタンドａ（１ａ）を両側より当接させ溶接により一体に固定されている。又下側も同様��スタンドｄ（１ｄ，１ｄ）と当接する先端は傾斜４５°にて切断されその当接した部分を溶接により台座と一体に固設されている。以上、スタンドａ（１ａ）スタンドｂ（１ｂ，１ｂ）はフレームをなす部分である。
次に、台座となるスタンドｃ（１ｃ）とスタンドｄ（１ｄ）は中空の角パイプが使用され、スタンドｃ（１ｃ）は正面から見て横設され、スタンドｄ（１ｄ，１ｄ）を繋ぐ横梁をなす部分である。そのスタンドｃ（１ｃ）に直交方向に離間して平行に配置されたスタンドｄ（１ｄ，１ｄ）中央付近とスタンドｃ（１ｃ）の両端は当接して溶接により一体に固設されている。【００１９】  スタンド（１）のスタンドａ（１ａ）の上側に取付ける正逆回転運動部分の座板になる取付座（２）について説明する。取付座（２）は長方形状のプレートで形成され短辺が上下になるように垂直に立てる状態で取付けられる。軸受（１１，１１）を取付けるきり穴加工が左右対称位置の上側に施されている。又、スタンドａ（１ａ）に取付ける取付座（２）は下側で中央付近に長方形の角４ヶ所にきり穴加工が施されている。
回転軸（４）の回転をある一定の位置より回転しない様に取付ける部品であるブラケット（６）を取付けるきり穴加工が取付座中央付近に施されている。【００２０】  図６における張力体（１７）のゴムによる回転力の負荷調整も張力体（１２）のスプリングと同様とし、エンドレスの輪ゴムを使用する。【００２１】  図７におけるグリップ（１８，１８）の球体による場合は中央に回転軸（４）が差し込まれる穴加工が施され、その回転軸（４）から抜けないようにセットビスを取付ける穴加工も施された球体からなる。なおグリップ（５，５）（１８，１８）はスポーツ競技、又はスポーツ競技の種目により種々の形状の物に改変をなし得ることは勿論である。【００２２】  次に、上記発明の実施の形態の構成に基づく、手首トレーニング器の使用方法について以下説明する。【００２３】  図８に示すような姿勢を基本姿勢とし、手首トレーニング器を使用してみて自分に合った姿勢や回転力の調整を行なう。姿勢の調整は椅子の高さを変えたり、肘の位置を変えて行なう。回転力の調整はハンドル（１４）を廻して張力体（１２，１７）を引張ったり、緩めたりすることで行なえる。【００２４】  又、使用者の位置を変えて使用する方法
図８に示す使用時の一例を示した側面図では使用者は左側に位置し、時計廻りの手首の動きで使っているが、右側に位置して使うことで、反対廻りの手首トレーニングが出来る。【００２５】  なお、この発明は上記発明の実施の形態に限定されるものではなく、この発明の精神を逸脱しない範囲で種々の改変をなし得ることは勿論である。
又、この発明における上記発明の実施の形態のグリップは円柱形の棒と球体であったがスポーツ競技の種目によりグリップが種々の形状のものに取り替えることが出来る。
【発明の効果】
【００２６】  本発明は、以上説明したように構成されているので、以下に記載されるような効果を奏する。
請求項１のような手首トレーニング器によるトレーニングを行なうことでバッティングやピッチングに関する手首の重要な動きであるＹ軸方向の手首の動きを行ない、その動作を繰り返し行なうことで手首の動きの範囲拡大や手首の強化が得られ多くのスポーツ競技の向上に効果を奏する。
【００２７】  又、請求項２のように、負荷調整を行なう張力体は伸縮自在に調整が出来る様に取付けられている場合には使用者の筋力や使用時の姿勢に合わせて手首のトレーニングが出来る。
【００２８】  請求項３のようにグリップをスポーツ競技の種目にあった種々の形状の物に取付け、取外し可能としている場合には多くのスポーツ競技に合ったトレーニングが出来る。
【図面の簡単な説明】
【図１】  この発明の実施の形態を示すグリップが棒の時の手首トレーニング器の正面図
【図２】  この発明の実施の形態を示すグリップが棒の時の手首トレーニング器の平面図
【図３】  この発明の実施の形態を示すグリップが棒の時で張力体がスプリングの手首トレーニング器の中央の断面図
【図４】  この発明の実施の形態を示すグリップが棒の時の正逆回転運動部分の拡大断面図
【図５】  この発明の実施の形態を示す張力体がスプリングを使用した時のガイド棒部分の拡大断面図
【図６】  この発明の実施の形態を示すグリップが棒で張力体がゴムを使用した時の手首トレーニング器の中央断面図
【図７】  この発明の実施の形態を示すグリップが球体の時の正逆回転運動部分の拡大断面図
【図８】  この発明の実施の形態を示す使用時の一例の側面図
【符号の説明】
１          スタンド
１ａ        スタンドａ
１ｂ        スタンドｂ
１ｃ        スタンドｃ
１ｄ        スタンドｄ
２          取付座
３          スプロケット
４          回転軸
５、１８、  グリップ
６          ブラケット
７          ストッパー
８          ノブ
９          平行キー
１０          チェーン
１１          軸受
１２、１７、  張力体
１３          ガイド棒
１４          ハンドル
１５          ガイドカン
１６          回り止メネジ
【図１】
2005305080.tif 000003
【図２】
2005305080.tif 000004
【図３】
2005305080.tif 000005
【図４】
2005305080.tif 000006
【図５】
2005305080.tif 000007
【図６】
2005305080.tif 000008
【図７】
2005305080.tif 000009
【図８】
2005305080.tif 000010